(57)【要約】本発明は、ネジ用のマガジンに関連するものである。前記マガジンは、、適合するマガジン帯（１）を備え、用意された部品に連続して挿入されるか、部品から抜き出されることができるネジ（３）を入れておくために使用される。マガジンストリップ（２）は、平らなベルト部分（１０）と、縁部に沿って延びた拡大部分（１１、１２）とから成る。マガジン（１）は、マガジン帯（２）の各側部に案内スリット（８、９）を設けた案内部分（６、７）により構成された、案内装置（５）を備える。案内部分（６、７）は、ベルト部分（１０）が案内スリット（８、９）に挿入される時、拡大部分（１１、１２）が個々に案内部分（６、７）の外側で適切な位置に延びるように、寸法が決められる。
2004500248.tif 000002
【特許請求の範囲】
【請求項１】
ネジ用のマガジンであり、連続した手段によって押し出し可能で且つ、予め備えられた物品にネジ入可能なネジを入れておく、適したマガジンバンドを具備し、マガジンがマガジンバンドの縁部に関して案内装置を有したマガジンにおいて、
マガジンバンド（２）が、平らなベルト部分（１０）と、縁部に沿って延びる拡大部分（１１、１２）とから構成され、マガジンバンド（２）の各側部に対応した案内装置（５）が、案内スリット（８、９）を設けて、案内部分（６、７）を有し、それらの案内部分（６、７）は、ベルト部分（１０）が案内スリット（８、９）に配置されると、拡大部分（１１、１２）が個々に案内部分（６、７）の形状終端部で外側に延びて画定していることを特徴とするマガジン。
【請求項２】
拡大部分（１１、１２）が、各々一個のウエブによって形成され、ベルト部分（１０）と共に二重Ｔ形に形成されることを特徴とする請求項１に記載のマガジン。
【請求項３】
案内装置が、マガジンバンド（２）の各側でＴナットとして形成されることを特徴とする請求項２に記載のマガジン。
【発明の詳細な説明】
【０００１】
（技術分野）
本発明は、ネジ用のマガジンに関するものであり、連続して押し出しすことが可能なネジと、用意した物品に挿入可能なネジを入れておくのに適したマガジンバンドを具備し、マガジンがマガジンバンドの縁部に案内装置を有する。
【０００２】
（背景技術）
現在、ネジ用のマガジンバンドは、相互に連続する孔を備えた平らなベルトバンドとして形成されており、各孔に入れておくネジを嵌め込んでいる。それに対応して案内装置が、二つの並行に走るスリットによって形成されており、それにベルトバンドが、その平らな縁部で把持している。その様なマガジン及びマガジンバンドは、皿頭ネジに適している。皿頭ネジは、その下側が円錐形を形成した頭部を有している。それにより、その様な頭部を具備したネジを、比較的小さな力でナがジンバンドの孔から押せる。
【０００３】
マガジンバンドに、下側が平らに形成された頭部を具備したネジ、例えば六角頭ネジを入れる時、マガジンバンドからネジを押し出すには、比較的大きな力が必要になる。それはネジの頭がベルトバンド上と全く平らに嵌め込まれるからである。ゆえにベルトバンドを安定させなければならず、それによって各ネジを押し出す際に、ネジがマガジンの案内装置からはみ出す程、ベルトバンドがそんなに強く曲げないようにする。ベルトバンドを安定させることは、確かにベルトバンドの撓みの危険に対して効果的であるが、同時にそれを行わないと、各ネジをベルトバンドの孔から押し出すため、加えられる力が大きくなる。
【０００４】
本発明の目的は、過去の従来技術によるマガジン及びマガジンバンドを、マガジンバンドから各ネジを押し出す際に危険がないようにし、マガジンバンドが強く曲げられ、マガジンバンドがその案内装置の外に延びる（ｈｅｒａｕｓｇｅｌａｎｇｅｎ）ことができるように、形成することである。
【０００５】
（発明の開示）
これらの問題は本発明によると、マガジンバンドが平らなベルト部分及び、縁部に沿って延びる拡大部分とを備え、案内装置がマガジンバンドの各側部に対応して、案内スリットを具備した案内部分を有し、ベルト部分が案内スリットにはめ込まれると、拡大部分が個々に、形状の端部で案内部分の外側へ延長するように、案内部分を画定することによって、解決される。
【０００６】
これらの形態によって、マガジンバンドが、形状の端部で、運搬方向に対し垂直な案内部分に装着される。これによって、ネジに対して大きな力が掛かっても、案内部分の外で、延びないようにできる。ゆえにバンド部分を、孔の形成を非常に簡単にして、平らなネジ頭でも、孔を介してネジ頭を押し込むために、小さな力を加えるだけで済むように、薄く形成することが可能である。本発明によるマガジンバンドは、ここでは非常に簡単に形成することができ、今まで利用されていたマガジンバンドよりも、必要な金属の量が少ない。またマガジンバンドは使用後に廃棄物が生じ、材料の節約が重要な意味を持つので、本発明によるマガジンバンドが皿頭を具備したネジの場合でも、用いることは有利である。
【０００７】
拡大部分が、マガジンバンドの各側部において、二つの突出部によって形成される。しかし特に、拡大部分が個々に一つのウエブを形成し、それがベルト部分と共に二重Ｔ形を作る。その様なマガジンバンドは特に、マガジンの案内装置で良好に案内でき、多少固いことだけが必要である。
【０００８】
マガジンの案内装置は、有利にはマガジンバンドの各側部にＴナットとして形成される。
【０００９】
（発明を実施するための最良の形態）
本発明は異なる複数の実施形態にできる。その一つを図面に示し、以下に説明する。
【００１０】
図１は、マガジン１の下方領域を示しており、下方領域を介してネジを具備したマガジンバンド２が、通っている。それらのネジ３は、個々に六角頭４を有し、その下側が、その様な六角頭のように普通は、平らに作られている。マガジンバンド２が、マガジン１において案内装置５によって誘導され、マガジンバンド２の各側部に案内スリット８、９を具備した案内部分６、７を有している。
【００１１】
図２は、平らなベルト部分１０から成るマガジンバンド２は、その縁部に各拡大部分１１、１２を具備して形成されている。示された実施形態は、拡大部分１１、１２が各々、ベルト部分１０の平面に対して垂直に延びるウエブとして形成される。これらのウエブは、両方ともベルト部分１０と共に二重Ｔ形を形成する。
【００１２】
図３は、マガジンバンド２のベルト部分１０において、前後に並んだ孔１３、１４が備えられ、その各々に図１で示されたネジ３が入れられる。孔１３、１４が、星形切り込み１５、１６、１７を備え、その六角頭４を具備したネジ３を、比較的簡単に、孔１３、１４を介して押すことができる。
【００１３】
図１に示したように、マガジンバンド２は、マガジン１を介して走行し、拡大部分１１、１２が案内部分６、７の外側に位置するようになる。それによって、人が比較的大きな力で、各六角頭４を押しても、マガジンバンド２は、案内装置５から外に延びることはできない。
【図面の簡単な説明】
【図１】
マガジンバンドを嵌め込んだ、ネジ用のマガジンの下方領域の断面図。
【図２】
図１に関して縮尺をかなり拡大したマガジンバンドの垂直断面図。
【図３】
マガジンバンドを上から見た図。
【国際公開パンフレット】
2004500248.tif 000003
2004500248.tif 000004
2004500248.tif 000005
2004500248.tif 000006
2004500248.tif 000007
2004500248.tif 000008
2004500248.tif 000009
2004500248.tif 000010
2004500248.tif 000011
【国際調査報告】
2004500248.tif 000012
2004500248.tif 000013
2004500248.tif 000014
2004500248.tif 000015
2004500248.tif 000016
2004500248.tif 000017